(57)【特許請求の範囲】
【請求項１】
構造体の貫通孔に挿通した長尺体の周囲に充填材を充填して前記貫通孔を閉塞するために、
前記貫通孔の開口部の周囲に係止自在な環状の係止部と、
前記係止部に対して連結部を介して前記貫通孔の奥側に設けられ、前記貫通孔内に充填される前記充填材を受け止め自在な環状の支持部とを備えた支持具本体を設け、
前記係止部と前記支持部とを夫々径方向に分割して形成し、
前記支持部を分割した分割支持部の端部夫々に、それらの端部同士を係合連結自在にする係合部を設け、
前記長尺体を前記貫通孔内に挿通した状態で、前記係止部側から挿入して、前記支持部に支持させる環状体に形成され、且つ、径方向に分割された補助支持部材とを設けてある貫通孔の充填材支持具であって、
前記支持具本体に、前記補助支持部材を係合保持する係合手段を設けてある貫通孔の充填材支持具。
【請求項２】
前記係合部を、前記両分割支持部の一端部側を前記係止部側に引き起こして他方の他端部が係入可能に傾斜させた係合面部に形成して、前記両分割支持部の一方の一端部と他方の他端部とを互いに係合させるように構成し、
前記補助支持部材を分割した分割支持部材の他端部を、前記分割支持部の他端部と整合させ、この整合された分割支持部材の他端部と分割支持部の他端部とを前記係合面部に係合させて、前記係合手段を形成してある請求項１記載の貫通孔の充填材支持具。
【請求項３】
前記係合手段を設けるに、
前記連結部の前記支持部との結合部に前記補助支持部材が係入可能な支持部材係合部を屈曲形成して、
前記補助支持部材を、前記支持部材係合部に前記支持部に接当する状態で保持自在に構成してある請求項１記載の貫通孔の充填材支持具。
【請求項４】
前記係合手段を設けるに、
前記連結部を、前記支持部近傍において前記支持部との結合部から前記係止部に向けて内方に傾斜させて、
前記補助支持部材を係合させる支持部材係合部に形成してある請求項１記載の貫通孔の充填材支持具。
【請求項５】
前記連結部を内方に向けて膨出するように湾曲形成して前記支持部材係合部を形成してある請求項４記載の貫通孔の充填材支持具。
【発明の詳細な説明】
【０００１】
【発明の属する技術分野】
本発明は建築物の防火区画貫通部の充填材支持具に関し、詳しくは、構造体の貫通孔に挿通した空調等の配管、電線、電線管等の長尺体の周囲に充填材を充填して前記貫通孔を閉塞するために、前記貫通孔の開口部の周囲に係止自在な環状の係止部と、前記係止部に対して連結部を介して前記貫通孔の奥側に設けられ、前記貫通孔内に充填される前記充填材を受け止め自在な環状の支持部とを、各別に径方向に分割して形成し、前記支持部を分割した分割支持部の同士を係合連結する係合部を設けてある支持具本体と前記長尺体を前記貫通孔内に挿通した状態で、前記係止部側から挿入して、前記支持部に支持させる環状に形成され、且つ、径方向に分割された補助支持部材とを備えた貫通孔の充填材支持具充填材支持具に関する。
【０００２】
【従来の技術】
従来、上記貫通孔の充填材支持具は、元来床スラブを貫通する貫通孔を耐火遮蔽するために用いられてきたもので、床に設けられた貫通孔Ｈに対して、挿通した長尺体Ｐの周囲に床上から熱膨張性パテからなる充填材Ｊを充填して、前記貫通孔Ｈを閉塞するものであった。つまり、前記貫通孔Ｈの開口部の周囲に係止自在な環状の係止部１と、前記係止部１に対して連結部５を介して前記貫通孔Ｈの奥側に設置可能に取り付けられ、前記貫通孔Ｈ内に充填される前記充填材Ｊを受け止め自在な環状の支持部２とを備える支持具本体７と、前記長尺体Ｐを前記貫通孔Ｈ内に挿通した状態で、前記係止部１取り付け側から挿入して、前記支持部２に支持さた状態で前記充填材Ｊを受け止め可能に環状に形成され、且つ、径方向に分割された補助支持部材８とを備えている。前記係止部１、前記支持部２は共に各別に径方向に分割して形成して一方を鳩目で枢支連結してあり、前記支持具本体７には、前記支持部２を分割した分割支持部３の同士を係合連結する係合部４を設けてある。そして、前記支持部２の内径に対して、前記長尺体Ｐの外径が小さい場合に、前記貫通孔Ｈ内に充填した前記充填材Ｊが前記支持部２と前記長尺体Ｐとの間から漏れることを防止するために、補助支持部材８を、前記長尺体Ｐを包囲するように前記貫通孔Ｈ内に装着された支持具本体７の前記支持部２に載置して、前記充填材Ｊを前記貫通孔Ｈ内に充填するように構成してあった。尚、前記補助支持部材８は、取り扱いに便利なように、分割した一方の分割支持部材９の一端側と他方の分割支持部材９の他端側とを鳩目で枢着して、夫々の自由端側には、互いに係合可能な係合構造を採用してある。
【０００３】
【発明が解決しようとする課題】
ところが、上記従来構成の充填材支持具においては、元来床スラブに床面から取り付ける構成であったから、前記補助支持部材８は前記支持部２上に載置されるように構成してあり、防火区画壁を貫通する貫通孔Ｈに上記構成の充填材支持具を装着する場合には、前記補助支持部材８を別途前記支持部２或いは前記連結部５に止め付けておく必要があった。しかも、前記貫通孔Ｈに前記長尺体Ｐを挿通した状態で装着するために、環状に構成された部材は全て径方向に分割形成してあり、前記補助支持部材８の前記支持部２への取付は面倒なものであった。
【０００４】
そこで、本発明に係わる貫通孔の充填材支持具は、装着の姿勢を問わず、防火区画壁の貫通孔に対しての装着を容易とし、天井スラブに対して下からでも容易に装着できるようにすることを目的とする。
【０００５】
【課題を解決するための手段】
〔本発明の特徴構成〕
請求項１に係わる本発明の貫通孔の充填材支持具の特徴構成は、構造体の貫通孔に挿通した長尺体の周囲に充填材を充填して前記貫通孔を閉塞するために、前記貫通孔の開口部の周囲に係止自在な環状の係止部と、前記係止部に対して連結部を介して前記貫通孔の奥側に設けられ、前記貫通孔内に充填される前記充填材を受け止め自在な環状の支持部とを備えた支持具本体を設け、前記係止部と前記支持部とを夫々径方向に分割して形成し、前記支持部を分割した分割支持部の端部夫々に、それらの端部同士を係合連結自在にする係合部を設け、前記長尺体を前記貫通孔内に挿通した状態で、前記係止部側から挿入して、前記支持部に支持させる環状体に形成され、且つ、径方向に分割された補助支持部材とを設けてある貫通孔の充填材支持具において、前記支持具本体に、前記補助支持部材を係合保持する係合手段を設けてある点にある。
【０００６】
尚、請求項２記載の如く請求項１記載の充填材支持具の特徴構成における係合部を、前記両分割支持部の一端部側を前記係止部側に引き起こして他方の他端部が係入可能に傾斜させた係合面部に形成して、前記両分割支持部の一方の一端部と他方の他端部とを互いに係合させるように構成し、
前記補助支持部材を分割した分割支持部材の他端部を、前記分割支持部の他端部と整合させ、この整合された分割支持部材の他端部と分割支持部の他端部とを前記係合面部に係合させて、前記係合手段を形成することは好適である。
【０００７】
また、請求項３記載の如く請求項１記載の充填材支持具の特徴構成における係合手段を設けるのに、前記連結部の前記支持部との結合部に前記補助支持部材が係入可能な支持部材係合部を屈曲形成して、前記補助支持部材を、前記支持部材係合部に前記支持部に接当する状態で保持自在に構成することも好適である。
【０００８】
さらに、請求項４に記載の如く請求項１記載の充填材支持具の特徴構成における係合手段を設けるのに、前記連結部を、前記支持部近傍において前記支持部との結合部から前記係止部に向けて内方に傾斜させて、前記補助支持部材を係合させる支持部材係合部に形成することも好適である。
【０００９】
さらに、請求項５に記載の如く請求項４に記載の充填材支持具の特徴構成における連結部を、内方に向けて膨出するように湾曲形成して前記支持部材係合部を形成してあればさらに好ましい。
【００１０】
〔特徴構成の作用及び効果〕
上記請求項１に記載の発明に係わる充填材支持具の特徴構成によれば、壁に設けられた横方向の貫通孔内であっても充填材を保持すべき補助支持部材を支持具本体の支持部から脱落することを防止できる。つまり、防火区画壁等の壁に横方向に形成された貫通孔に空調配管等を貫通させる場合に、その貫通孔を閉塞すべき充填材を横方向に充填することになるが、前記貫通孔に挿入固定される支持具本体に係合手段によって補助支持部材を保持しておくことが可能であるから、そのまま支持具本体を挿入しても前記補助支持部材が前記支持具本体から脱落することがなく、容易に充填材を前記貫通孔に充填できるようになる。
【００１１】
上記請求項２に記載の発明に係わる充填材支持具の特徴構成によれば、上記請求項１に記載の発明に係わる特徴構成の作用効果に加えて、簡単に補助支持部材を支持具本体に固定できる。つまり、支持部の係合部に補助支持部材の端部を係合保持させることによって、簡単に前記補助支持部材を前記支持部に取り付けることが可能になる。
【００１２】
上記請求項３に記載の発明に係わる充填材支持具の特徴構成によっても、上記請求項１に記載の発明に係わる特徴構成の作用効果に加えて、簡単に補助支持部材を支持具本体に固定できる。つまり、前記支持部材係合部に補助支持部材を係入して係合保持させることによって、簡単に前記補助支持部材を前記支持部に取り付けることが可能になる。
【００１３】
上記請求項４に記載の発明に係わる充填材支持具の特徴構成によっても、上記請求項１に記載の発明に係わる特徴構成の作用効果に加えて、簡単に補助支持部材を支持具本体に固定できる。つまり、前記支持部材係合部に補助支持部材を弾性的に係合保持させることによって、簡単に前記補助支持部材を前記支持部に取り付けることが可能になる。
【００１４】
上記請求項５に記載の発明に係わる充填材支持具の特徴構成によれば、上記請求項４に記載の発明に係わる特徴構成において、前記支持具本体の形状を簡素にし、同時に前記補助支持部材の装着が容易になる。つまり、前記補助支持部材を前記連結部に内嵌させた状態で、前記支持部に向けて押し込めるから、前記支持具本体を組み付けた状態に於いても前記支持具本体の姿勢如何に関わらず前記補助支持部材を前記支持具本体に簡単に装着することが可能になる。
【００１５】
従って、上記何れの請求項に記載の発明によっても、安定して補助支持部材を支持具本体の姿勢を問わず、これに装着することが可能になる。
【００１６】
その結果、防火区画壁の貫通孔に対しての充填材支持具の装着を容易とし、天井スラブに対して下からでも容易に装着できるようにすることが可能になる。
【００１７】
【発明の実施の形態】
以下、本発明に係わる貫通孔の充填材支持具の実施の形態の一例について図面を参照しながら説明する。尚、先に従来の技術の項で説明した内容と重複する点については共通した符号を付して一部の説明を省略する。
【００１８】
本発明の充填材支持具Ｓは、床スラブ貫通孔のみならず、例えば建物の防火区画壁等の構造体の貫通孔Ｈに挿通した空調配管等の長尺体Ｐの周囲に熱膨張性パテ等の耐火物からなる充填材Ｊを充填し、隣室での火災発生に対して前記貫通孔Ｈを閉塞して、前記貫通孔Ｈから熱気が流通して類焼することを防止するものである。
【００１９】
前記充填材支持具Ｓの支持具本体７は、前記貫通孔Ｈの開口部に取り付け自在に環状体に形成してある係止部１に、前記貫通孔Ｈ内部で前記充填材を受け止め自在に環状体に形成してある支持部２を、四枚の板状体からなる連結部５を介して前記取り付けて構成してある。前記支持具本体７は径方向に分割形成してあり、前記係止部１と前記支持部２とは共に径方向に分割されている。前記分割構造の支持具本体７には、前記支持部２を径方向に分割した両分割支持部３の一端部側を前記係止部側に引き起こして他方の他端部側が係入可能な、前記係止部１側に向けて傾斜する係合面部３ａに形成して、前記分割支持部３の端部同士を係合連結する係合部４を構成してある。この係合面部３ａの傾斜は、前記他端部側を引っかかることなく連結位置に導入できるようにするものである。
【００２０】
前記支持部２に係止させて前記貫通孔Ｈ内に充填された充填材Ｊを充填空間内で前記支持部２に係止した状態で保持可能な補助支持部材８は、前記連結部５の間に挿入されるように形成してあり、前記連結部５に対応する外周部を夫々一方側にほぼ直角に折曲した係合切り欠き部８ａを備えており、径方向に分割して分割支持部材９に分割形成してある。
この分割された分割支持部材９の他端部９ａは、図１〜図３に示すように、前記分割支持部３の他端部と整合させた重合状態で前記分割支持部３の係合面部３ａに係合可能に構成されている。前記係合切り欠き部８ａを形成するのに前記一方側に折曲した切り起こし片８ｂは前記連結部５の内面に沿って、前記分割支持部材９を位置安定させる役割を果たす。
【００２１】
前記係合面部３ａと、前記分割支持部材９の他端部９ａとで前記補助支持部材８を前記支持部２に係合保持する係合手段１０を構成してある。つまり、前記補助支持部材８を分割した分割支持部材９の他端部９ａを、前記分割支持部３の他端部と整合させ、この整合された分割支持部材９の他端部９ａと分割支持部３の他端部とを前記係合面部３ａに係合させて、前記係合手段１０を形成してある。
【００２２】
上記構成による防火区画壁に長尺体の一種である空調配管を挿通した貫通孔への充填材の充填施工について説明すると、先ず前記貫通孔Ｈに挿通してある空調配管Ｐに対して室内側から係止部１を径方向に分割した分割係止部１Ａ同士を、両者を枢支連結する鳩目回りに開き側に揺動して支持具本体７が前記空調配管Ｐを囲繞するように位置させ、補助支持部材８を分割した両分割支持部材９を夫々、支持部２を分割した分割支持部３に当て付けた状態で、夫々の係合切り欠き部８ａを支持具本体７の連結部５に係合させた状態で、前記分割係止部１Ａを再び逆に揺動させて閉じて前記分割支持部３一端部の係合部４に他方他端部を係合させて前記分割支持部３同士を連結させる。この際に、前記両分割支持部材９の係合端部９ａは前記分割支持部３の係合面部３ａに案内されて、他方の分割支持部３の他端部側との間に挟み付けられるようになる。こうして、一体化した充填材支持具Ｓを前記空調配管Ｐに沿って前記貫通孔Ｈ内に挿入し、前記係止部１を前記防火区画壁の壁面に取り付け、前記貫通孔Ｈ内に熱膨張性パテからなる前記充填材Ｊを充填する。その後、内部に前記充填材Ｊを予め充填保持させてある蓋部材１１を前記係止部１に取り付ける。
【００２３】
〔別実施形態〕
〈１〉前記補助支持部材８を前記支持具本体７に係合させる前記係合手段１０を形成するのに、前記支持部２を前記係止部１に連結する前記連結部５の前記支持部２との結合部に、前記補助支持部材８が係入可能な支持部材係合部６を屈曲形成して、前記支持部２に接当する状態に前記補助支持部材８を前記係合部４に保持自在に構成してあってもよい。例えば、前記支持部材係合部６の内径を前記補助支持部材８の外径以上に形成して、前記補助支持部材８を分割支持部材９の一方を鳩目で枢支連結して、前記長尺体Ｐに外嵌させた状態で閉じ側に揺動して、前記係合切り欠き部８ａを閉じた状態の前記支持具本体７の前記各連結部５に内嵌し、前記支持部２に接当した状態で周方向に回転させることで、前記補助支持部材８の外周部を前記支持部材係合部６に係合させるようにしてあってもよい。
【００２４】
〈２〉また、前記係合手段１０を形成するのに、前記補助支持部材８を上記〈１〉と同様に形成して、前記連結部５を、前記支持部２近傍において前記支持部２との結合部から前記係止部１に向けて内方に傾斜させて構成してもよい。このように前記連結部５を形成して、上記〈１〉における補助支持部材８の係合切り欠き部８ａの切り起こし片８ｂは、前記係止部１側では、前記連結部５を押し広げるようになるが、前記補助支持部材８が前記支持部２に接当した状態では、前記切り起こし片８ｂと前記連結部５との間に作用する弾性力により、前記補助支持部材８が前記連結部５に支持されるようになる。従って、仮に天井スラブに室内から上に向けて施工するような場合でも、前記補助支持部材８は安定して保持されている。
【００２５】
〈３〉尚、前記連結部５を内方に向けて膨出するように湾曲形成しておけば、上記のように前記補助支持部材８を装着するのに無理なく押し込むことが可能となる。
【図面の簡単な説明】
【図１】本発明による充填材支持具の一例の構成説明用分解斜視図
【図２】図１に示した充填材支持具の貫通孔への装着状態を示す要部縦断面図
【図３】支持具本体への補助支持部材の取り付け状態の一例を示す斜視図
【図４】支持具本体への補助支持部材の取り付け状態の他の例を示す斜視図
【図５】図４に示した支持具本体の貫通孔への装着状態を示す要部縦断面図
【図６】支持具本体への補助支持部材の取り付け状態の他の例を示す斜視図
【図７】図６に示した支持具本体の貫通孔への装着状態を示す要部縦断面図
【図８】従来の充填材支持具の一例の構成説明用分解斜視図
【符号の説明】
１    係止部
２    支持部
３    分割支持部
３ａ  係合面部
４    係合部
５    連結部
６    支持部材係合部
７    支持具本体
８    補助支持部材
９    分割支持部材
９ａ  係合端部
１０  係合手段
Ｈ    貫通孔
Ｊ    充填材
Ｐ    長尺体
【図１】
0003939418.tif 000002
【図２】
0003939418.tif 000003
【図３】
0003939418.tif 000004
【図４】
0003939418.tif 000005
【図５】
0003939418.tif 000006
【図６】
0003939418.tif 000007
【図７】
0003939418.tif 000008
【図８】
0003939418.tif 000009